(57)【要約】      （修正有） 【課題】フィルター支持枠にも例えば、赤、ピンク、黄色、緑、青、金等の種々のカラー着色を施して、見た目の楽しさや他人のカメラとの差別化を図り、また、デジタルカメラ本体のボディカラーとのマッチングを楽しむことができるフィルター支持枠を提供する。【解決手段】カメラレンズ鏡筒先端部に後付けにて装着される各種フィルター４のフィルター支持枠５において、該フィルター支持枠の外周部分７には底部が平部形状の凹溝１６を刻設して、該平部形状の凹溝内の着色には従来の所謂シルバー色、または黒色とは異なるおしゃれで明るい色彩からなるカラー着色を塗装にて塗着することにより種々のカラーバリエーションを有するフィルター支持枠を製作し、該フィルター支持枠の内周部分には反射防止のためにサテン仕上げを施し、該サテン仕上げ部分に艶消しの黒を着色したことを特徴とする。【選択図】図３
0003173116.tif 000002
【実用新案登録請求の範囲】
【請求項１】
カメラレンズ鏡筒先端部に後付けにて装着される各種フィルターのフィルター支持枠において、該フィルター支持枠の外周部分全体の着色には従来の、所謂シルバー色、または黒色、とは異なる明るい色彩からなるカラー着色を塗料にて塗着することにより種々のカラーバリエーションを有するフィルター支持枠を製作し、該フィルター支持枠の内周部分には反射防止のためにサテン仕上げを施し、該サテン仕上げ部分に艶消しの黒を着色したことを特徴とするデジタルカメラ用のフィルター支持枠。
【請求項２】
カメラレンズ鏡筒先端部に後付けにて装着される各種フィルターのフィルター支持枠において、該フィルター支持枠の先端部小口から外周部分全体の着色には従来の所謂シルバー色、または黒色とは異なる明るい色彩からなるカラー着色を塗料にて塗着することにより種々のカラーバリエーションを有するフィルター支持枠を製作し、該フィルター支持枠の内周部分には反射防止のためにサテン仕上げを施し、該サテン仕上げ部分に艶消しの黒を着色したことを特徴とするデジタルカメラ用のフィルター支持枠。
【請求項３】
カメラレンズ鏡筒先端部に後付けにて装着される各種フィルターのフィルター支持枠において、該フィルター支持枠の外周部分には底部が平部形状の凹溝を刻設して、該平部形状の凹溝内の着色には従来の所謂シルバー色、または黒色とは異なる明るい色彩からなるカラー着色を塗装にて塗着することにより種々のカラーバリエーションを有するフィルター支持枠を製作し、該フィルター支持枠の内周部分には反射防止のためにサテン仕上げを施し、該サテン仕上げ部分に艶消しの黒を着色したことを特徴とするデジタルカメラ用のフィルター支持枠。
【請求項４】
カメラレンズ鏡筒先端部に後付けにて装着される各種フィルターのフィルター支持枠において、該フィルター支持枠の外周部分全体の着色には従来の所謂シルバー色、または黒色とは異なる明るい色彩からなるカラーシートを貼着することにより種々のカラーバリエーションを有するフィルター支持枠を製作し、該フィルター支持枠の内周部分には反射防止のためにサテン仕上げを施し、該サテン仕上げ部分に艶消しの黒を着色したことを特徴とするデジタルカメラ用のフィルター支持枠。
【請求項５】
カメラレンズ鏡筒先端部に後付けにて装着される各種フィルターのフィルター支持枠において、該フィルター支持枠の外周部分には底部が平部形状の凹溝を刻設して、該平部凹溝内の着色には従来の所謂シルバー色、または黒色とは異なる明るい色彩からなるカラーシートを貼着することにより種々のカラーバリエーションを有するフィルター支持枠を製作し、該フィルター支持枠の内周部分には反射防止のためにサテン仕上げを施し、該サテン仕上げ部分に艶消しの黒を着色したことを特徴とするデジタルカメラ用のフィルター支持枠。
【請求項６】
カメラレンズ鏡筒先端部に後付けにて装着される各種フィルターのフィルター支持枠において、該フィルター支持枠の外周部分には底部が平部或いはＵ字形状の凹溝を刻設しており、該凹溝内に弾性体から成るカラーリングを嵌着可能に構成し、該カラーリングのカラーは従来の所謂シルバー色、または黒色とは異なる明るい色彩からなるカラー着色を施しすることにより種々のカラーバリエーションを有するフィルター支持枠を製作し、該フィルター支持枠の内周部分には反射防止のためにサテン仕上げを施し、該サテン仕上げ部分に艶消しの黒を着色したことを特徴とするデジタルカメラ用のフィルター支持枠。
【請求項７】
前記、フィルター支持枠の外周部全体、先端小口から外周部全体、及びフィルター支持枠の外周部分に刻設された底部が平部形状の凹溝に塗着する塗料はアクリル樹脂、ポリウレタン樹脂、エポキシ樹脂やフッ素樹脂からなる塗料にて塗着されていることを特徴とする請求項１乃至請求項３の何れかに記載のデジタルカメラ用のフィルター支持枠。
【請求項８】
前記、フィルター支持枠の外周部分全体、及びフィルター支持枠の外周部分に刻設された底部が平部形状の凹溝に貼着されるカラーシートはアクリル樹脂シートやフッ素樹脂シートからなるカラーシートであることを特徴とする請求項４、または請求項５の何れかにに記載のデジタルカメラ用のフィルター支持枠。
【請求項９】
前記、フィルター支持枠の外周部分に刻設された底部が平部、或いはＵ字形状の凹溝に嵌着されるカラーリングは塗装やカラーシートを貼着することにより着色された金属製の弾性体カラーリングやカラー染料で着色されたプラスチックス樹脂から成る弾性体カラーリングであることを特徴とする請求項６に記載のデジタルカメラ用のフィルター支持枠。
【請求項１０】
前記、フィルター支持枠の内周部分はフィルター支持部分を挟んでフィルターへの入射光側（外部）、カメラレンズ側（内部）に分割されており、前記着色される反射防止用のサテン仕上げ、及び艶消し黒の塗装はフィルターへの入射光側、フィルター支持部分、カメラレンズ側の全面内周部分に塗着し、またはフィルターへの入射光側とフィルター支持部の内周部分、フィルターへの入射光側内周部分のみへの塗装により構成されていることを特徴とする請求項１乃至請求項６の何れかに記載のデジタルカメラ用のフィルター支持枠。
【請求項１１】
円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター支持枠の外周部分全体の着色に従来の所謂シルバー色、または黒色とは異なる明るい色彩からなるカラー着色を塗料にて塗着し、該フィルター支持枠の内周部分には夫々反射防止のためにサテン仕上げを施し、該サテン仕上げ部分に艶消しの黒を着色したことを特徴とする円偏光フィルター、クロススクリーンフィルター等のデジタルカメラ用のフィルター支持枠。
【請求項１２】
円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター支持枠の先端部小口から外周部分全体の着色に従来の所謂シルバー色、または黒色とは異なる明るい色彩からなるカラー着色を塗料にて塗着し、該フィルター支持枠の内周部分には反射防止のためにサテン仕上げを施し、該サテン仕上げ部分に艶消しの黒を着色したことを特徴とする円偏光フィルター、クロススクリーンフィルター等のデジタルカメラ用のフィルター支持枠。
【請求項１３】
円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター支持枠の外周部分に底部が平部形状の凹溝を刻設して、該平部形状の凹溝内の着色に従来の所謂シルバー色、または黒色とは異なる明るい色彩からなるカラー着色を塗装にて塗着し、該フィルター支持枠の内周部分には反射防止のためにサテン仕上げを施し、該サテン仕上げ部分に艶消しの黒を着色したことを特徴とする円偏光フィルター、クロススクリーンフィルター等のデジタルカメラ用のフィルター支持枠。
【請求項１４】
円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター支持枠の外周部分全体に従来の所謂シルバー色、または黒色とは異なる明るい色彩からなるカラーシートを貼着し、該フィルター支持枠の内周部分には反射防止のためにサテン仕上げを施し、該サテン仕上げ部分に艶消しの黒を着色したことを特徴とする円偏光フィルター、クロススクリーンフィルター等のデジタルカメラ用のフィルター支持枠。
【請求項１５】
円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター支持枠の外周部分に底部が平部形状の凹溝を刻設して、該平部凹溝内の着色には従来の所謂シルバー色、または黒色とは異なる明るい色彩からなるカラーシートを貼着し、該フィルター支持枠の内周部分には反射防止のためにサテン仕上げを施し、該サテン仕上げ部分に艶消しの黒を着色したことを特徴とする円偏光フィルター、クロススクリーンフィルター等のデジタルカメラ用のフィルター支持枠。
【請求項１６】
円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター枠の外周部分に底部が平部或いはＵ字形状の凹溝を刻設しており、該凹溝内に弾性体から成るカラーリングを嵌着可能に構成し、該カラーリングのカラーは従来の所謂シルバー色、または黒色とは異なる明るい色彩からなるカラー着色を施し、該フィルター支持枠の内周部分には反射防止のためにサテン仕上げを施し、該サテン仕上げ部分に艶消しの黒を着色したことを特徴とする円偏光フィルター、クロススクリーンフィルター等のデジタルカメラ用のフィルター支持枠。
【考案の詳細な説明】
【技術分野】
【０００１】
本考案は、デジタルカメラの撮影用レンズ鏡筒部の最先端部に装着されるフィルター支持枠に関するものである。
【背景技術】
【０００２】
使いやすくて性能のよいデジタルカメラの普及は、若い女性また主婦層にも浸透し、デジタルカメラ本体のボディにも種々のカラー塗装を施して、見た目の楽しさや、他人のカメラとの差別化を意識できるカラーバリエーションを持つものが数多く販売されるようになってきた。
【０００３】
一方、デジタルカメラのレンズ鏡筒先端部に装着されるフィルターは、カメラのレンズ保護用のプロテクターフィルターが一般的であるが、他に色温度変換フィルター、色補正フィルター、接写用フィルター、ソフトフォーカス用フィルター等があり、また、レンズ鏡筒先端部に装着してから回転させる必要のある二重枠構造のフィルターとして、円偏光フィルターやクロススクリーンフィルター等がデジタルカメラ用としても種々開発されてきている。
【０００４】
本考案は、デジタルカメラ本体ボディのカラーバリエーション化に伴いデジタルカメラのレンズ鏡筒先端部に装着されるフィルター支持枠にも、例えば、赤、ピンク、黄色、緑、青、金等の種々のカラー着色を施して、見た目の楽しさや他人のカメラとの差別化を図り、また、デジタルカメラ本体のボディカラーとのマッチングを楽しむことができるデジタルカメラ用のフィルター支持枠を提供するものである。
【０００５】
そして、本考案は、一般的なカメラのレンズ保護用のプロテクターフィルターのみならず、前記、色温度変換フィルター、色補正フィルター、接写用フィルター、ソフトフォーカス用フィルター等や、二重枠構造を有する円偏光フィルターやクロススクリーンフィルターをも、見た目の楽しさや、デジタルカメラ本体のボディカラーとのマッチングを楽しむ感覚で使用できるデジタルカメラ用のフィルター支持枠を提供可能である。
【考案の概要】
【考案が解決しようとする課題】
【０００６】
本考案が解決しようとする課題は、デジタルカメラ本体のカラーバリエーション化に伴いデジタルカメラのレンズ鏡筒先端部に装着されるフィルター支持枠にも例えば、赤、ピンク、黄色、緑、青、金等の種々のカラー着色を施して、見た目の楽しさや他人のカメラとの差別化を図り、また、デジタルカメラ本体のボディカラーとのマッチングを楽しむことができるデジタルカメラ用のフィルター支持枠を提供するものである。
【０００７】
然しながら、デジタルカメラのレンズ鏡筒先端部に装着されるフィルター支持枠に、例えば、赤、ピンク、黄色、緑、青、金等の種々のカラー着色を施すと該カラー着色部が乱反射を起こし性能の良い撮像素子を使用しているデジタルカメラにおいては、画像に悪影響をおよぼすことになる。
【０００８】
従って、本考案においては、前記デジタルカメラのレンズ鏡筒先端部に装着されるフィルター支持枠の外周面にある手法を適用して、例えば赤、ピンク、黄色、緑、青、金等のカラー着色を施し、また、前記フィルター支持枠の内周部分には反射防止のためのサテン仕上げを施して艶消し黒を着色した。
【課題を解決するための手段】
【０００９】
本考案は、カメラレンズ鏡筒先端部に後付けにて装着される各種フィルターのフィルター支持枠において、該フィルター支持枠の外周部分全体の着色には従来の所謂シルバー色、または黒色とは異なるおしゃれで明るい色彩からなるカラー着色を塗料にて塗着することにより種々のカラーバリエーションを有するフィルター支持枠を製作し、該フィルター支持枠の内周部分には反射防止のためにサテン仕上げを施し、該サテン仕上げ部分に艶消しの黒を着色したデジタルカメラ用のフィルター支持枠である。
【００１０】
本考案は、カメラレンズ鏡筒先端部に後付けにて装着される各種フィルターのフィルター支持枠において、該フィルター支持枠の先端部小口から外周部分全体の着色には従来の所謂シルバー色、または黒色とは異なるおしゃれで明るい色彩からなるカラー着色を塗料にて塗着することにより種々のカラーバリエーションを有するフィルター支持枠を製作し、該フィルター支持枠の内周部分には反射防止のためにサテン仕上げを施し、該サテン仕上げ部分に艶消しの黒を着色したデジタルカメラ用のフィルター支持枠である。
【００１１】
本考案は、カメラレンズ鏡筒先端部に後付けにて装着される各種フィルターのフィルター支持枠において、該フィルター支持枠の外周部分には底部が平部形状の凹溝を刻設して、該平部形状の凹溝内の着色には従来の所謂シルバー色、または黒色とは異なるおしゃれで明るい色彩からなるカラー着色を塗装にて塗着することにより種々のカラーバリエーションを有するフィルター支持枠を製作し、該フィルター支持枠の内周部分には反射防止のためにサテン仕上げを施し、該サテン仕上げ部分に艶消しの黒を着色したデジタルカメラ用のフィルター支持枠である。
【００１２】
本考案は、カメラレンズ鏡筒先端部に後付けにて装着される各種フィルターのフィルター支持枠において、該フィルター支持枠の外周部分全体の着色には従来の所謂シルバー色、または黒色とは異なるおしゃれで明るい色彩からなるカラーシートを貼着することにより種々のカラーバリエーションを有するフィルター支持枠を製作し、該フィルター支持枠の内周部分には反射防止のためにサテン仕上げを施し、該サテン仕上げ部分に艶消しの黒を着色したデジタルカメラ用のフィルター支持枠である。
【００１３】
本考案は、カメラレンズ鏡筒先端部に後付けにて装着される各種フィルターのフィルター支持枠において、該フィルター支持枠の外周部分には底部が平部形状の凹溝を刻設して、該平部凹溝内の着色には従来の所謂シルバー色、または黒色とは異なるおしゃれで明るい色彩からなるカラーシートを貼着することにより種々のカラーバリエーションを有するフィルター支持枠を製作し、該フィルター支持枠の内周部分には反射防止のためにサテン仕上げを施し、該サテン仕上げ部分に艶消しの黒を着色したデジタルカメラ用のフィルター支持枠である。
【００１４】
本考案は、カメラレンズ鏡筒先端部に後付けにて装着される各種フィルターのフィルター支持枠において、該フィルター支持枠の外周部分には底部が平部或いはＵ字形状の凹溝を刻設しており、該凹溝内に弾性体から成るカラーリングを嵌着可能に構成し、該カラーリングのカラーは従来の所謂シルバー色、または黒色とは異なるおしゃれで明るい色彩からなるカラー着色を施しすることにより種々のカラーバリエーションを有するフィルター支持枠を製作し、該フィルター支持枠の内周部分には反射防止のためにサテン仕上げを施し、該サテン仕上げ部分に艶消しの黒を着色したデジタルカメラ用のフィルター支持枠である。
【００１５】
そして、本考案を更に詳説すれば、前記、フィルター支持枠の外周部全体、先端小口から外周部全体、及びフィルター支持枠の外周部分に刻設された底部が平部形状の凹溝に塗着する塗料はアクリル樹脂、ポリウレタン樹脂、エポキシ樹脂やフッ素樹脂からなる塗料にて塗着されている。
【００１６】
同様に、前記、フィルター支持枠の外周部分全体、及びフィルター支持枠の外周部分に刻設された底部が平部形状の凹溝に貼着されるカラーシートはアクリル樹脂シートやフッ素樹脂シートからなるカラーシートである。
【００１７】
同様に、前記、フィルター支持枠の外周部分に刻設された底部が平部、或いはＵ字形状の凹溝に嵌着されるカラーリングは塗装やカラーシートを貼着することにより着色された金属製の弾性体カラーリングやカラー染料で着色されたプラスチックス樹脂から成る弾性体カラーリングである。
【００１８】
また、前記、フィルター支持枠の内周部分は、フィルター支持部分を挟んでフィルターへの入射光側（外部）、カメラレンズ側（内部）に分割されており、前記着色される反射防止用のサテン仕上げ、及び艶消し黒の塗装はフィルターへの入射光側、フィルター支持部分、カメラレンズ側の全面内周部分に塗着し、またはフィルターへの入射光側とフィルター支持部の内周部分、フィルターへの入射光側内周部分のみへの塗装により構成されている。
【００１９】
而して、本考案は、円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター支持枠の外周部分全体の着色に従来の所謂シルバー色、または黒色とは異なるおしゃれで明るい色彩からなるカラー着色を塗料にて塗着し、該フィルター支持枠の内周部分には夫々反射防止のためにサテン仕上げを施し、該サテン仕上げ部分に艶消しの黒を着色した円偏光フィルター、クロススクリーンフィルター等のデジタルカメラ用のフィルター支持枠を提供する。
【００２０】
本考案は、円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター支持枠の先端部小口から外周部分全体の着色に従来の所謂シルバー色、または黒色とは異なるおしゃれで明るい色彩からなるカラー着色を塗料にて塗着し、該フィルター支持枠の内周部分には反射防止のためにサテン仕上げを施し、該サテン仕上げ部分に艶消しの黒を着色した円偏光フィルター、クロススクリーンフィルター等のデジタルカメラ用のフィルター支持枠を提供する。
【００２１】
同様に、本考案は、円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター支持枠の外周部分に底部が平部形状の凹溝を刻設して、該平部形状の凹溝内の着色に従来の所謂シルバー色、または黒色とは異なるおしゃれで明るい色彩からなるカラー着色を塗装にて塗着し、該フィルター支持枠の内周部分には反射防止のためにサテン仕上げを施し、該サテン仕上げ部分に艶消しの黒を着色した円偏光フィルター、クロススクリーンフィルター等のデジタルカメラ用のフィルター支持枠を提供する。
【００２２】
また、本考案は、円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター支持枠の外周部分全体に従来の所謂シルバー色、または黒色とは異なるおしゃれで明るい色彩からなるカラーシートを貼着し、該フィルター支持枠の内周部分には反射防止のためにサテン仕上げを施し、該サテン仕上げ部分に艶消しの黒を着色した円偏光フィルター、クロススクリーンフィルター等のデジタルカメラ用のフィルター支持枠を提供する。
【００２３】
同様に、本考案は、円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター支持枠の外周部分に底部が平部形状の凹溝を刻設して、該平部凹溝内の着色には従来の所謂シルバー色、または黒色とは異なるおしゃれで明るい色彩からなるカラーシートを貼着し、該フィルター支持枠の内周部分には反射防止のためにサテン仕上げを施し、該サテン仕上げ部分に艶消しの黒を着色した円偏光フィルター、クロススクリーンフィルター等のデジタルカメラ用のフィルター支持枠を提供する。
【００２４】
更に、本考案は、円偏光フィルター、クロススクリーンフィルターの様に二枚のフィルターを夫々二つのフィルター支持枠で保持する構成のフィルター支持枠において、該夫々のフィルター支持枠の両方、或いはどちらか一方のフィルター支持枠はフィルター枠の外周部分に底部が平部或いはＵ字形状の凹溝を刻設しており、該凹溝内に弾性体から成るカラーリングを嵌着可能に構成し、該カラーリングのカラーは従来の所謂シルバー色、または黒色とは異なるおしゃれで明るい色彩からなるカラー着色を施し、該フィルター支持枠の内周部分には反射防止のためにサテン仕上げを施し、該サテン仕上げ部分に艶消しの黒を着色した円偏光フィルター、クロススクリーンフィルター等のデジタルカメラ用のフィルター支持枠を提供する。
【考案の効果】
【００２５】
本考案は、デジタルカメラ本体のカラーバリエーション化に伴いデジタルカメラのレンズ鏡筒先端部に装着されるフィルター支持枠にも例えば、赤、ピンク、黄色、緑、青、金等の種々のカラー着色を施して、見た目の楽しさや他人のカメラとの差別化を図り、また、デジタルカメラ本体のボディカラーとのマッチングを楽しむことができるデジタルカメラ用のフィルター支持枠を提供可能である。
【００２６】
そして、本考案は、一般的なカメラのレンズ保護用のプロテクターフィルターのみならず、前記、色温度変換フィルター、色補正フィルター、接写用フィルター、ソフトフォーカス用フィルター等や、二重枠構造を有する円偏光フィルターやクロススクリーンフィルターをも、見た目の楽しさや、デジタルカメラ本体のボディカラーとのマッチングを楽しむ感覚でおおいに利用できるデジタルカメラ用のフィルター支持枠を提供できるもので、当該フィルター支持枠の内周側にはサテン仕上げを施し艶消し黒を着色することにより、フィルター支持枠による反射防止を可能とした。
【図面の簡単な説明】
【００２７】
【図１】本考案の実施部位を説明する斜視図である。
【図２】本考案の実施例１を示す要部切欠断面図である。
【図３】本考案の実施例２を示す要部切欠断面図である。
【図４】本考案の実施例３を示す要部切欠断面図である。
【図５】本考案の実施例４を示す要部切欠断面図である。
【考案を実施するための形態】
【００２８】
使いやすくて性能のよいデジタルカメラの普及は、一般の人や女性、主婦層にも浸透し、デジタルカメラ本体のボディにも種々のカラー塗装を施して、見た目の楽しさや、他人のカメラとの差別化を意識できるカラーバリエーションを持つものが数多く販売されるようになってきた。
【００２９】
一方、デジタルカメラのレンズ鏡筒先端部に装着されるフィルターは、カメラのレンズ保護用のプロテクターフィルターが一般的であるが、他に色温度変換フィルター、色補正フィルター、接写用フィルター、ソフトフォーカス用フィルター等があり、また、レンズ鏡筒先端部に装着してから回転させる必要のある二重枠構造のフィルターとして、円偏光フィルターやクロススクリーンフィルター等がデジタルカメラ用としても色々開発されてきている。
【００３０】
本考案は、デジタルカメラ本体のカラーバリエーション化に伴いデジタルカメラのレンズ鏡筒先端部に装着されるフィルター支持枠にも例えば、赤、ピンク、黄色、緑、青、金等の種々のカラー着色を施して、見た目の楽しさや他人のカメラとの差別化を図り、また、デジタルカメラ本体のボディカラーとのマッチングを楽しむことができるデジタルカメラ用のフィルター支持枠を提供するものである。
【００３１】
そして、本考案は、一般的なカメラのレンズ保護用のプロテクターフィルターのみならず、前記、色温度変換フィルター、色補正フィルター、接写用フィルター、ソフトフォーカス用フィルター等や、二重枠構造を有する円偏光フィルターやクロススクリーンフィルターをも、見た目の楽しさや、デジタルカメラ本体のボディカラーとのマッチングを楽しむ感覚でおおいに利用できるデジタルカメラ用のフィルター支持枠を提供できるもので、当該フィルター支持枠の内周側にはサテン仕上げを施し、該サテン仕上げ部分に艶消し黒を着色することにより、フィルター支持枠による反射防止を可能とした。
【実施例１】
【００３２】
図１、及び図２は本考案の実施例を説明するもので、図１はデジタルカメラにおける考案の実施部位を説明する斜視図、図２は本考案の実施例１を説明するフィルター支持枠の側面図である。
【００３３】
図１において、１はデジタルカメラのカメラ本体を示し、２はレンズ鏡筒を示している。そして、一般的には、デジタルカメラ本体１やレンズ鏡筒２は、シルバー色やブラック色に着色されている場合が多かったが、最近では、使いやすくて性能のよいデジタルカメラの普及が、一般の人や女性、主婦層にも浸透し、デジタルカメラ本体１のボディやレンズ鏡筒２にも種々のカラー塗装を施して、見た目の楽しさや、他人のカメラとの差別化を意識できるカラーバリエーションを持つものが数多く販売されるようになってきた。
【００３４】
また、図１においてレンズ鏡筒２の先端部３には、フィルター４を挟持したフィルター支持枠５が着脱自在にレンズ鏡筒２に装着されている。
【００３５】
斯くして、本考案の実施例１は、図２に示すごとく、フィルター支持枠５の外観に関するものであり、図２において、５はフィルター支持枠、４はフィルター支持枠に挟持されたフィルター、６は前記カメラ本体１のレンズ鏡筒２にフィルター支持枠５を装着するための雄ネジ部、７はフィルター支持枠５の外周部分、８はフィルター支持枠５の先端部小口、９はフィルター支持枠５の内周部分で、該内周部分９は、フィルター４への入射側（外部）１０、カメラレンズ側（内部）１１、フィルター４の支持部分１２に分割されている。
【００３６】
本考案の実施例１は、カメラレンズ鏡筒２先端部３に後付けにて装着される各種フィルターのフィルター支持枠５において、該フィルター支持枠５の外周部分７全体の着色には従来の所謂シルバー色、または黒色とは異なる例えば、赤、ピンク、黄色、緑、青、金等のおしゃれで明るい色彩からなるカラー着色を塗料１３にて塗着することにより種々のカラーバリエーションを有するフィルター支持枠５を製作し、該フィルター支持枠５の内周部分９には反射防止のためにサテン仕上げを施し、該サテン仕上げ部分に艶消しの黒１４を着色したデジタルカメラ用のフィルター支持枠５である。
【００３７】
また、実施例１では、おしゃれで明るい色彩からなるカラー着色を塗料１３にて塗着する範囲を、フィルター支持枠５の先端部小口８から外周部分７全体に広げることにより種々のカラーバリエーションを有するフィルター支持枠５を製作し、該フィルター支持枠５の内周部分９には反射防止のためにサテン仕上げを施し、該サテン仕上げ部分に艶消しの黒１４を着色したフィルター支持枠５を提供するものである。
【００３８】
更に、実施例１では、上記カラー着色塗料１３の塗着に代わり、カメラレンズ鏡筒先端部に後付けにて装着される各種フィルターのフィルター支持枠５において、該フィルター支持枠５の外周部分７全体の着色には従来の所謂シルバー色、または黒色とは異なるおしゃれで明るい色彩からなるカラーシート１５を貼着することにより種々のカラーバリエーションを有するフィルター支持枠５を製作し、該フィルター支持枠５の内周部分９には反射防止のためにサテン仕上げを施し、該サテン仕上げ部分に艶消しの黒１４を着色することも可能である。
【００３９】
上記、実施例１おいて、フィルター支持枠の外周部分７全体、先端小口８から外周部全体に塗着する赤、ピンク、黄色、緑、青、金等のカラー塗料は、アクリル樹脂、ポリウレタン樹脂、エポキシ樹脂やフッ素樹脂からなる塗料にて塗着されている。
また、実施例１に使用されるカラーシート１５は、アクリル樹脂シートやフッ素樹脂シートを用いることが可能で、該カラーシートは耐候性にも優れ色調も鮮やかなものを、多くの色見本から選択できる。
【実施例２】
【００４０】
図３は、本考案の実施例２を説明するフィルター支持枠の側面図である。
図３において、５はフィルター支持枠、４はフィルター支持枠に挟持されたフィルター、６は前記カメラ本体１のレンズ鏡筒２にフィルター支持枠５を装着するための雄ネジ部、７はフィルター支持枠５の外周部分、８はフィルター支持枠５の先端部小口、９はフィルター支持部５の内周部分で、該内周部分９は、フィルター４への入射側（外部）１０、カメラレンズ側（内部）１１、フィルター４の支持部分１２に分割されている。
【００４１】
斯くして、実施例２はフィルター支持枠５の外周部分７に底部が平部形状の凹溝１６を刻設し、該刻設した凹溝１５内にカラー着色塗料１３や、カラーシート１５を貼着するものである。
【００４２】
本考案の実施例２は、カメラレンズ鏡筒先端部３に後付けにて装着される各種フィルターのフィルター支持枠５において、該フィルター支持枠５の外周部分７には底部が平部形状の凹溝１６を刻設して、該平部形状の凹溝１６内の着色には従来の所謂シルバー色、または黒色とは異なるおしゃれで明るい色彩からなるカラー着色を塗装１３にて塗着することにより種々のカラーバリエーションを有するフィルター支持枠５を製作し、該フィルター支持枠５の内周部分９には反射防止のためにサテン仕上げを施し、該サテン仕上げ部分に艶消しの黒１４を着色したデジタルカメラ用のフィルター支持枠５である。
【００４３】
また、実施例２は、カメラレンズ鏡筒先端部３に後付けにて装着される各種フィルターのフィルター支持枠５において、該フィルター支持枠５の外周部分７には底部が平部形状の凹溝１６を刻設して、該平部凹溝１６内の着色には従来の所謂シルバー色、または黒色とは異なるおしゃれで明るい色彩からなるカラーシート１５を貼着することにより種々のカラーバリエーションを有するフィルター支持枠５を製作し、該フィルター支持枠５の内周部分９には反射防止のためにサテン仕上げを施し、該サテン仕上げ部分に艶消しの黒１４を着色したデジタルカメラ用のフィルター支持枠５を提供するものである。
【００４４】
そして、上記実施例２おいては、フィルター支持枠５の凹溝１６に塗着する赤、ピンク、黄色、緑、青、金等のカラー塗料は、アクリル樹脂、ポリウレタン樹脂、エポキシ樹脂やフッ素樹脂からなる塗料１３にて塗着されている。
また、実施例２に使用されるカラーシート１５は、アクリル樹脂シートやフッ素樹脂シートを用いることが可能で、該カラーシートは耐候性にも優れ、色調も鮮やかなものを多くの色見本等から選択できる。
【実施例３】
【００４５】
図４は、本考案の実施例３を説明するフィルター支持枠５の側面図、及びカラーリング１７の形状を示す説明である。
図において、５はフィルター支持枠、４はフィルター支持枠に挟持されたフィルター、６は前記カメラ本体１のレンズ鏡筒２にフィルター支持枠５を装着するための雄ネジ部、７はフィルター支持枠５の外周部分、８はフィルター支持枠５の先端部小口、９はフィルター支持枠５の内周部分で、該内周部分９は、フィルター４への入射側（外部）１０、カメラレンズ側（内部）１１、フィルター４の支持部分１２に分割されている。
【００４６】
斯くして、実施例３はフィルター支持枠５の外周部分７に底部が平部形状の凹溝１６を刻設し、該刻設した凹溝１５内にカラーリング１７を嵌着するものである。
【００４７】
実施例３は、カメラレンズ鏡筒先端部３に後付けにて装着される各種フィルターのフィルター支持枠５において、該フィルター支持枠５の外周部分７には底部が平部（図４は平部例を示す）、或いはＵ字形状の凹溝１６を刻設しており、該凹溝１６内に弾性体から成るカラーリング１７に切欠部１８等を設けて嵌着可能に構成し、該カラーリング１７のカラーは従来の所謂シルバー色、または黒色とは異なるおしゃれで明るい色彩からなるカラー着色を施しすることにより種々のカラーバリエーションを有するフィルター支持枠５を製作し、該フィルター支持枠５の内周部分には反射防止のためにサテン仕上げを施し、該サテン仕上げ部分に艶消しの黒１４を着色したデジタルカメラ用のフィルター支持枠５である。
【００４８】
また、実施例３において、フィルター支持枠５の外周部分７に刻設された底部が平部、或いはＵ字形状の凹溝１６に嵌着されるカラーリング１７は塗装１３やカラーシート１５を貼着することにより着色された金属製の弾性体カラーリング１７やカラー染料で着色されたプラスチックス樹脂から成る弾性体カラーリング１７であることが望ましい。
【００４９】
而して、実施例１乃至実施例３においては、フィルター枠が１枚の一般枠形状で、カメラレンズ保護用のプロテクターフィルターを例に詳説してきた。実施例１乃至実施例３において、おしゃれで明るい色彩から成るカラー着色を実現する際に重要な点は、前記カラー着色部が乱反射を起こし性能の良い撮像素子を使用しているデジタルカメラにおいては、画像に悪影響をおよぼすことである。
【００５０】
従って、本考案では、フィルター支持枠の内周部分９はフィルター支持部分１２を挟んでフィルターへの入射光側（外部）１０、カメラレンズ側（内部）１１に分割されており、前記着色される反射防止用のサテン仕上げ、及び艶消し黒の塗装１４は、フィルターへの入射光側１０、フィルター支持部分１２、カメラレンズ側１１の全面内周部分に塗着するか、またはフィルターへの入射光側１０とフィルター支持部１２の内周部分に塗着するか、フィルターへの入射光側１０内周部分のみへの塗装により構成するかを研究した。
【実施例４】
【００５１】
図５は円偏光フィルター等２重枠から成るフィルター支持枠示す要部切欠断面図である。
図５において、１９ａ、１９ｂはフィルター支持枠、２０ａ、２０ｂは夫々のフィルター支持枠に挟持されたフィルター、６は前記カメラ本体１のレンズ鏡筒２にフィルター支持枠１９ａ、１９ｂを装着するための雄ネジ部、２１ａ、２１ｂはフィルター支持枠の外周部分、２２はフィルター支持枠１９ｂの先端部小口、２３はフィルター支持枠の内周部分で、該内周部分２３は、夫々のフィルターへの入射側（外部）１０、カメラレンズ側（内部）１１、フィルター４の支持部分１２に分割されている。
【００５２】
而して、実施例４は、実施例１乃至実施例３にて、詳説した一枚フィルター枠５が二重枠になって構成されているものであり、本考案は、フィルター支持枠１９ａ、１９ｂの両方、或いはどちらか一方のフィルター支持枠に実施例１乃至実施例３のカラー着色を施すものである。
【００５３】
斯くして、実施例４は、円偏光フィルター、クロススクリーンフィルターの様に二枚のフィルターを夫々二つのフィルター支持枠１９ａ、１９ｂで保持する構成のフィルター支持枠において、該夫々のフィルター支持枠１９ａ、１９ｂの両方、或いはどちらか一方のフィルター支持枠は、フィルター支持枠の外周部分２１ａ、２１ｂ全体の着色に従来の所謂シルバー色、または黒色とは異なるおしゃれで明るい色彩からなるカラー着色を塗料にて塗着し、該フィルター支持枠の内周部分２３には夫々反射防止のためにサテン仕上げを施し、該サテン仕上げ部分に艶消しの黒を着色したものである。
【００５４】
実施例４は、二枚のフィルターを夫々二つのフィルター支持枠１９ａ、１９ｂで保持する構成のフィルター支持枠において、該夫々のフィルター支持枠１９ａ、１９ｂの両方、或いはどちらか一方のフィルター支持枠は、フィルター支持枠の先端部小口２２から外周部分２１a、２１ｂの全体の着色に従来の所謂シルバー色、または黒色とは異なるおしゃれで明るい色彩からなるカラー着色を塗料にて塗着し、該フィルター支持枠の内周部分２３には反射防止のためにサテン仕上げを施し、該サテン仕上げ部分に艶消しの黒を着色したものである。
【００５５】
また、実施例４は、二枚のフィルターを夫々二つのフィルター支持枠１９ａ、１９ｂで保持する構成のフィルター支持枠において、該夫々のフィルター支持枠１９ａ、１９ｂの両方、或いはどちらか一方のフィルター支持枠は、フィルター支持枠の外周部分２１ａ２１ｂに底部が平部形状の凹溝１６を刻設して、該平部形状の凹溝内の着色に従来の所謂シルバー色、または黒色とは異なるおしゃれで明るい色彩からなるカラー着色を塗装にて塗着し、該フィルター支持枠の内周部分２３には反射防止のためにサテン仕上げを施し、該サテン仕上げ部分に艶消しの黒を着色したものである。
【００５６】
更にまた、二枚のフィルターを夫々二つのフィルター支持枠１９ａ、１９ｂで保持する構成のフィルター支持枠において、該夫々のフィルター支持枠１９ａ、１９ｂの両方、或いはどちらか一方のフィルター支持枠は、フィルター支持枠の外周部分２１ａ、２１ｂ全体に従来の所謂シルバー色、または黒色とは異なるおしゃれで明るい色彩からなるカラーシート１５を貼着し、該フィルター支持枠の内周部分２３には反射防止のためにサテン仕上げを施し、該サテン仕上げ部分に艶消しの黒を着色したものである。
【００５７】
そして、実施例４の他の形態は、二枚のフィルターを夫々二つのフィルター支持枠１９ａ、１９ｂで保持する構成のフィルター支持枠において、該夫々のフィルター支持枠１９ａ１９ｂの両方、或いはどちらか一方のフィルター支持枠は、フィルター支持枠の外周部分２１ａ、２１ｂに底部が平部形状の凹溝１６を刻設して、該平部凹溝内の着色には従来の所謂シルバー色、または黒色とは異なるおしゃれで明るい色彩からなるカラーシート１５を貼着し、該フィルター支持枠の内周部分２３には反射防止のためにサテン仕上げを施し、該サテン仕上げ部分に艶消しの黒を着色したものである。
【００５８】
更に、実施例４の他の形態は、二枚のフィルターを夫々二つのフィルター支持枠１９ａ、１９ｂで保持する構成のフィルター支持枠において、該夫々のフィルター支持枠１９ａ、１９ｂの両方、或いはどちらか一方のフィルター支持枠は、フィルター枠の外周部分２１ａ、２１ｂに底部が平部、或いはＵ字形状の凹溝１６を刻設しており、該凹溝内に弾性体から成るカラーリング１７を嵌着可能に構成し、該カラーリング１７のカラーは従来の所謂シルバー色、または黒色とは異なるおしゃれで明るい色彩からなるカラー着色を施し、該フィルター支持枠の内周部分２３には反射防止のためにサテン仕上げを施し、該サテン仕上げ部分に艶消しの黒を着色したものである。
【符号の説明】
【００５９】
１  デジタルカメラ本体
２  レンズ鏡筒
３  先端部
４  フィルター
５  フィルター支持枠
６  雄ネジ部
７  フィルター支持枠の外周部分
８  フィルター支持枠の先端部小口
９  フィルター支持枠の内周部分
１０  フィルターへの入射側（外部）
１１  カメラレンズ側（内部）
１２  フィルターの支持部分
１３  塗料
１４  艶消し黒
１５  カラーシート
１６  凹溝
１７  カラーリング
１８  切欠部
１９ａ、１９ｂ  フィルター支持枠
２０ａ、２０ｂ  フィルター
２１ａ、２１ｂ  フィルターの外周部分
２２  先端部小口
２３  フィルター支持枠の内周部
【図１】
0003173116.tif 000003
【図２】
0003173116.tif 000004
【図３】
0003173116.tif 000005
【図４】
0003173116.tif 000006
【図５】
0003173116.tif 000007